(57)【要約】【課題】座部と背もたれ部との連設部分に生じる不具合を防止する。【解決手段】座椅子１０は、臀部を支持する座部１２に対して腰部を支持する背もたれ部１４が角度調節可能に構成される。座椅子１０は、座部１２に配設された座部フレーム２８と、背もたれ部１４に配設され、座部フレーム２８に対して背部ヒンジＨ１を介して角度調節可能に連結された背部フレーム３２と、座部フレーム２８の下側に重ねて座部１２に配設され、背部ヒンジＨ１の下側に延在すると共に背部ヒンジＨ１より後側に延出する支持フレーム３０とを備えている。【選択図】図４
2014124246.tif 000002
【特許請求の範囲】
【請求項１】
臀部を支持する座部に対して腰部を支持する背もたれ部が角度調節可能に構成された座椅子において、
前記座部に配設された座部フレームと、
前記背もたれ部に配設され、前記座部フレームに対して背部ヒンジを介して角度調節可能に連結された背部フレームと、
前記座部フレームの下側に重ねて前記座部に配設され、前記背部ヒンジの下側に延在すると共に該背部ヒンジより後側に延出し、背部ヒンジより延出する延出部位が背もたれ部の下側に延在する転倒規制部の骨格をなす支持フレームとを備えた
ことを特徴とする座椅子。
【請求項２】
前記背もたれ部に対して角度調節可能に設けられ、頭部を支持する頭支持部を備え、
前記頭支持部には、前記背部フレームに対して頭部ヒンジを介して角度調節可能に連結された頭部フレームが配設され、
前記頭部ヒンジは、前記背部フレームから裏面側へ突出するように形成された請求項１記載の座椅子。
【請求項３】
前記座部に対して角度調節可能に設けられ、大腿部を支持する大腿支持部と、該大腿支持部に対して角度調節可能に設けられ、ふくらはぎを支持する小腿支持部とを備え、
前記大腿支持部には、前記座部フレームに大腿ヒンジを介して角度調節可能に連結された大腿フレームが配設されると共に、前記小腿支持部には、前記大腿フレームに小腿ヒンジを介して角度調節可能に連結された小腿フレームが配設され、
前記小腿フレームは、前記大腿支持部を前記座部の前側に倒伏させた姿勢で、前記小腿支持部が床面に当接するように角度調節可能に構成された請求項１または２記載の座椅子。
【発明の詳細な説明】
【技術分野】
【０００１】
この発明は、背もたれ部の角度を座部に対して調節可能な座椅子に関するものである。
【背景技術】
【０００２】
特許文献１に開示の座椅子のように、使用者の臀部を支持する座部に対して背もたれ部を角度調節可能に構成したものが提案されている。特許文献１の座椅子は、座部の前方部分に座部に対して立ち上げ可能な足載せ部が設けられ、座部より上方にある足載せ部に足先を載せることで、使用者がより楽な姿勢をとることができる。
【０００３】
前記座椅子は、座部に配設されたベースフレームに、ヒンジ部を介して背もたれ部や足載せ部のフレームが連結される。ヒンジ部は、一方のフレームに対向配置された一対の連結板の間に差し込んだ他方のフレームの連結端を軸支するよう構成され、連結板と該連結端との間に配設されたラチェット機構によって他方のフレームが一方のフレームに対して所定の角度で保持される。
【先行技術文献】
【特許文献】
【０００４】
【特許文献１】特開２００５−１８５６８６号公報
【発明の概要】
【発明が解決しようとする課題】
【０００５】
前記座椅子では、座部に座った使用者が背もたれ部にもたれ掛かると、ベースフレームと背もたれ部のフレームを連結する後側のヒンジ部に荷重が集中する。前述の如くヒンジ部は、フレームの端縁や連結板の縁などの角部分が現れるので、ヒンジ部に荷重が集中すると、当該角部分によって座部と背もたれ部との連結部分にあるクッションやこのクッションを覆うカバーに強く当接し、クッションやカバーを破損するおそれがある。また、ヒンジ部の角部分は、座椅子を載置した畳や床等の載置面に押し付けられることが繰り返されることで、載置面に傷が付くことも考えられる。
【０００６】
すなわち本発明は、従来の技術に係る座椅子に内在する前記問題に鑑み、これらを好適に解決するべく提案されたものであって、座部と背もたれ部との連設部分に生じる不具合を防止し得る座椅子を提供することを目的とする。
【課題を解決するための手段】
【０００７】
前記課題を克服し、所期の目的を達成するため、本願の請求項１に係る発明の座椅子は、
臀部を支持する座部に対して腰部を支持する背もたれ部が角度調節可能に構成された座椅子において、
前記座部に配設された座部フレームと、
前記背もたれ部に配設され、前記座部フレームに対して背部ヒンジを介して角度調節可能に連結された背部フレームと、
前記座部フレームの下側に重ねて前記座部に配設され、前記背部ヒンジの下側に延在すると共に該背部ヒンジより後側に延出し、背部ヒンジより延出する延出部位が背もたれ部の下側に延在する転倒規制部の骨格をなす支持フレームとを備えたことを要旨とする。
請求項１に係る発明によれば、座部フレームと、座部フレームおよび背部フレームを連結する背部ヒンジとの下側に支持フレームが延在しているので、座部の下側を構成するクッションやカバーなどに対して、座部フレームまたは背部フレームの端縁や背部ヒンジからの荷重の付加を防止することができる。従って、座部フレームまたは背部フレームや背部ヒンジの負荷に起因するクッションやカバーの破損や床面の傷付けなどの不具合の発生を防止することができる。更に、転倒規制部の骨格をなす支持フレームが、座部フレームおよび該座部フレームに背部ヒンジを介して支持された背部フレームの下側に延在しているので、背もたれ部をフラットに近い状態まで倒伏できる。
【０００８】
請求項２に係る発明では、前記背もたれ部に対して角度調節可能に設けられ、頭部を支持する頭支持部を備え、
前記頭支持部には、前記背部フレームに対して頭部ヒンジを介して角度調節可能に連結された頭部フレームが配設され、
前記頭部ヒンジは、前記背部フレームから裏面側へ突出するように形成されたことを要旨とする。
請求項２に係る発明によれば、背もたれ部を倒伏した際に、該背もたれ部と床面との間に座部の転倒規制部を収容するために隙間が生じるが、倒伏姿勢の背もたれ部を、座部と該背もたれ部に配設された背部フレームから裏面側に突出する頭部ヒンジとの２箇所で支持させることで、背もたれ部と床面との間に隙間があっても座椅子の転倒を防止することができる。
【０００９】
請求項３に係る発明では、前記座部に対して角度調節可能に設けられ、大腿部を支持する大腿支持部と、該大腿支持部に対して角度調節可能に設けられ、ふくらはぎを支持する小腿支持部とを備え、
前記大腿支持部には、前記座部フレームに大腿ヒンジを介して角度調節可能に連結された大腿フレームが配設されると共に、前記小腿支持部には、前記大腿フレームに小腿ヒンジを介して角度調節可能に連結された小腿フレームが配設され、
前記小腿フレームは、前記大腿支持部を前記座部の前側に倒伏させた姿勢で、前記小腿支持部が床面に当接するように角度調節可能に構成されたことを要旨とする。
請求項３に係る発明によれば、倒伏した姿勢にある大腿支持部を、座部と小腿支持部の２箇所で支持し得るから、大腿支持部と床面との間に隙間があっても座椅子の転倒を防止することができる。
【発明の効果】
【００１０】
本発明に係る座椅子によれば、座部と背もたれ部との連設部分に生じる破損等の不具合を防止することができる。
【図面の簡単な説明】
【００１１】
【図１】本発明の実施例に係る座椅子を示す概略斜視図である。
【図２】実施例の座椅子を示す側面図であり、背もたれ部を起立させると共に大腿支持部および小腿支持部を脚載せ姿勢にしている。
【図３】実施例の座椅子を示す側面図であって、背もたれ部、頭部支持部、大腿支持部および小腿支持部を倒伏させた姿勢にある。
【図４】図１のＸ１−Ｘ１線断面図である。
【図５】図１のＸ２−Ｘ２線断面図である。
【図６】(ａ)は図１のＸ３−Ｘ３線断面図であり、(ｂ)は図１のＸ４−Ｘ４線断面図である。
【図７】(ａ)は図６(ｂ)に示す実施例の支持材を拡大した説明図であり、(ｂ)は実施例の支持材を図１のＸ５線に沿って破断した状態を示す断面図である。
【図８】実施例のフレームを示す概略斜視図である。
【図９】実施例のフレームを示す側面図であって、(ａ)は背もたれ部を起立させると共に大腿支持部および小腿支持部を脚載せ姿勢にした状態に対応し、(ｂ)は背もたれ部および大腿支持部を倒伏させた姿勢に対応する。
【図１０】カバーを一部取り外した状態を示す説明図である。
【図１１】頭枕の周辺を示す説明図である。
【発明を実施するための形態】
【００１２】
次に、本発明に係る座椅子につき、好適な実施例を挙げて、添付図面を参照して以下に説明する。ここで、座椅子において、使用者がのる面を表面といい、この表面と反対側の面を裏面という。また、座椅子は、使用者の足側を前とすると共に頭側を後として、特に断りがない限り、各部を倒伏させてベッド状にした姿勢(図３参照)で方向を指称する。
【実施例】
【００１３】
図１〜図３に示すように、実施例に係る座椅子１０は、使用者の臀部を支持する座部１２と、この座部１２に対して複数段階で角度調節可能に設けられ、使用者の腰部および背中を支持する背もたれ部１４と、この背もたれ部１４に対して複数段階で角度調節可能に設けられ、使用者の頭部を支持する頭支持部１６とを備えている。頭支持部１６の表面側には、使用者の頭部を受ける頭枕１８が着脱可能に取り付けられている。また、座椅子１０は、座部１２に対して複数段階で角度調節可能に設けられ、使用者の大腿部を支持する大腿支持部２０と、この大腿支持部２０に対して複数段階で角度調節可能に設けられ、使用者のふくらはぎを支持する小腿支持部２２とを備えている。小腿支持部２２には、使用者のふくらはぎを受ける脚枕２４が表面側に配設されている。更に、座椅子１０の座部１２は、該座部１２と背もたれ部１４との連設部分から後方へ延出して、背もたれ部１４の下側に延在するように形成された転倒規制部２６を備えている。すなわち、座椅子１０は、背もたれ部１４および大腿支持部２０を起立させた際に、転倒規制部２６を含んだ座部１２によって荷重を受けて、背もたれ部１４側に力をかけても転倒規制部２６によって後傾が規制されるようになっている。
【００１４】
前記座椅子１０は、背もたれ部１４、頭支持部１６、大腿支持部２０および小腿支持部２２を床面(設置面)に沿うように寝かせた倒伏姿勢(図３参照)や、背もたれ部１４を起立させた姿勢や、大腿支持部２０を起立させると共に小腿支持部２２を略水平にした脚載せ姿勢などに変更可能になっている。図２に示すように、座椅子１０は、背もたれ部１４の起立姿勢において、背もたれ部１４を表裏方向に複数段階で角度調節し得ると共に、脚載せ姿勢において大腿支持部２０を表裏方向に複数段階で角度調節し得るようになっている。また、座椅子１０は、頭支持部１６を背もたれ部１４の延長線に沿って延在させたり、頭支持部１６を背もたれ部１４に対して表面側に傾けたりまたは裏面側に傾けたりすることが可能に構成される。更に、座椅子１０は、小腿支持部２２を大腿支持部２０の延長線に沿って延在させたり、小腿支持部２２を大腿支持部２０に対して裏面側へ傾けたりすることが可能に構成される。このように、実施例の座椅子１０は、各部１２,１４,１６,２０,２２の連設部分で曲げ伸ばし可能に構成して、使用者のニーズに応じて様々な姿勢に変更可能である。
【００１５】
図４および図５に示すように、座椅子１０は、該座椅子１０の骨格となるフレームＦと、このフレームＦに配設されたクッションＣ１〜Ｃ４と、フレームＦおよびクッションＣ１〜Ｃ４を覆うカバー７０とから構成される。図８および図９に示すように、フレームＦは、左右方向に離間して並行配置され、前後方向に夫々延在する一対の縦枠２８ａ,３０ａ,３２ａ,３４ａ,３６ａ,３８ａと、両縦枠２８ａ,３０ａ,３２ａ,３４ａ,３６ａ,３８ａの間に架設された横枠３０ｂ,３２ｂ,３４ｂ,３６ｂ,３８ｂとを組み合わせて構成される。縦枠２８ａ,３０ａ,３２ａ,３４ａ,３６ａ,３８ａおよび横枠３０ｂ,３２ｂ,３４ｂ,３６ｂ,３８ｂは、円筒形の金属パイプなどの剛性を有するものが用いられる。フレームＦは、ヒンジＨ１〜Ｈ４を介して縦枠２８ａ,３２ａ,３４ａ,３６ａ,３８ａ同士が回動可能に連結される。各ヒンジＨ１〜Ｈ４は、一方の縦枠２８ａ,３２ａ,３６ａに対向配置された一対の連結板３９,３９の間に挿入した他方の縦枠３２ａ,３４ａ,３６ａ,３８ａを回転可能に軸支するように構成される。また、各ヒンジＨ１〜Ｈ４には、一方の縦枠２８ａ,３２ａ,３６ａに対して他方の縦枠３２ａ,３４ａ,３６ａ,３８ａを角度調節可能に支持するラチェット機構(図示せず)が両連結板３９,３９の間に収容配置される。
【００１６】
図８に示すように、座部１２は、左右方向に離間配置された一対の座部縦枠２８ａ,２８ａからなる座部フレーム２８と、この座部フレーム２８の下側に配設された支持フレーム３０とを備えており、各座部縦枠２８ａにおける前端部および後端部の夫々にヒンジＨ１,Ｈ２が設けられている。実施例の支持フレーム３０は、金属パイプを折り曲げて平面視で略矩形状の環状に形成される。支持フレーム３０は、左右方向に離間する一対の支持縦枠３０ａ,３０ａの間隔が、座部フレーム２８と同じに設定されると共に(図６参照)、前後方向に離間する一対の支持横枠３０ｂ,３０ｂの間隔が、座部フレーム２８より長く設定される(図４および図５参照)。支持フレーム３０は、座部フレーム２８における左右の座部縦枠２８ａ,２８ａの下側(裏面側)に、対応する側の支持縦枠３０ａを重ね合わせて配設され、座部フレーム２８よりも下側に延在している。実施例の座部１２において、座部フレーム２８は支持フレーム３０に載置され、座部フレーム２８および支持フレーム３０は、溶接や結束バンドなどによって互いに固定される。また、支持フレーム３０は、座部縦枠２８ａの後端部に設けられた背部ヒンジＨ１の下側(裏面側)に延在すると共に、背部ヒンジＨ１を越えて後側へ延出するように配設される。更に、支持フレーム３０は、座部縦枠２８ａの前端部に設けられた大腿ヒンジＨ２の下側に延在すると共に、大腿ヒンジＨ２を越えて前側へ延出するように配設される。すなわち、座部１２において、ヒンジＨ１,Ｈ２およびこのヒンジＨ１,Ｈ２が設けられた座部フレーム２８は、支持フレーム３０によって床面から離れるように支持されて、座部フレーム２８から床面に荷重を直接かけない構成になっている。ここで、支持フレーム３０は、座部フレーム２８の後端部からの延出寸法が該座部フレーム２８の前端部からの延出寸法よりも大きく設定される。そして、座部１２では、座部フレーム２８の後端部(背部ヒンジＨ１)から後方へ延出する該支持フレーム３０の後方延出部位(延出部位)が、前記転倒規制部２６の骨格となる。また、座部フレーム２８の前端部(大腿ヒンジＨ２)から前方へ延出する前方延出部位は、座部１２および大腿支持部２０の厚みの範囲に収容される。
【００１７】
図８に示すように、背もたれ部１４には、前端部が対応する側の背部ヒンジＨ１に回動可能に夫々軸支された一対の背部縦枠３２ａ,３２ａと、左右方向に離間する両縦枠３２ａ,３２ａの間に架設された背部横枠３２ｂとからなる背部フレーム３２が配設される。背部フレーム３２は、前後方向に離間配置された２本の背部横枠３２ｂ,３２ｂを備え、各背部横枠３２ｂは、背部縦枠３２ａの表裏方向の厚み範囲内に収まるように配設されている。背部フレーム３２の各背部縦枠３２ａには、後端部(背部ヒンジＨ１との連結端と反対側の端部)に頭部ヒンジＨ３が設けられる。頭支持部１６には、前端部が対応する側の頭部ヒンジＨ３に回動可能に夫々軸支された一対の頭部縦枠３４ａ,３４ａと、左右方向に離間する両頭部縦枠３４ａ,３４ａの間に架設された頭部横枠３４ｂとからなる頭部フレーム３４が配設される。なお、実施例の頭部フレーム３４は、金属パイプ等を折り曲げて平面視で背部フレーム３２側に開放した略「コ」字形状に形成される。
【００１８】
図８に示すように、大腿支持部２０には、後端部が対応する側の大腿ヒンジＨ２に回動可能に夫々軸支された一対の大腿縦枠３６ａ,３６ａと、左右方向に離間する両大腿縦枠３６ａ,３６ａの間に架設された大腿横枠３６ｂとからなる大腿フレーム３６が配設される。大腿フレーム３６の大腿横枠３６ｂは、大腿縦枠３６ａの表裏方向の厚み範囲内に収まるように配設される。大腿フレーム３６の各大腿縦枠３６ａには、前端部(大腿ヒンジＨ１との連結端と反対側の端部)に小腿ヒンジＨ４が設けられる。小腿支持部２２には、後端部が対応する側の小腿ヒンジＨ４に回動可能に夫々軸支された一対の小腿縦枠３８ａ,３８ａと、左右方向に離間する両小腿縦枠３８ａ,３８ａの間に架設された小腿横枠３８ｂとからなる小腿フレーム３８が配設される。なお、実施例の小腿フレーム３８は、金属パイプ等を折り曲げて平面視で大腿フレーム３６側に開放した略「コ」字形状に形成される。
【００１９】
図９に示すように、背部ヒンジＨ１は、左右方向に対向する一対の連結板３９,３９が、座部縦枠２８ａの後端部から表面側(座部１２では上方)へ延出するように設けられ、背部縦枠３２ａの回動中心が、座部縦枠２８ａにおける表裏方向(座部１２では上下方向)の中央ラインより上側になるように、両連結板３９,３９間で背部縦枠３２ａを軸支する。背部フレーム３２は、背部ヒンジＨ１によって座部フレーム２８よりも表面側に延在するように支持されて、背部ヒンジＨ１に軸支される前端部と支持フレーム３０との間に隙間があくように構成される。背部フレーム３２は、座部フレーム２８の後側に倒伏させた姿勢から表面側に向けて回動させた際に、背部ヒンジＨ１によって複数の角度で裏面側への変位が規制されて起立姿勢での傾きを調節し得るようになっている。
【００２０】
図９に示すように、大腿ヒンジＨ２は、左右方向に対向する一対の連結板３９,３９が、座部縦枠２８ａの前端部から表面側(座部１２では上方)へ延出するように設けられ、大腿縦枠３６ａの回動中心が、座部縦枠２８ａにおける表裏方向(座部１２では上下方向)の中央ラインより上側になるように、両連結板３９,３９間で大腿縦枠３６ａを軸支する。そして、大腿フレーム３６は、大腿ヒンジＨ２によって支持フレーム３０よりも表面側に延在するように支持される。大腿フレーム３６は、座部フレーム２８の前側に倒伏させた姿勢から表面側に向けて回動させた際に、大腿ヒンジＨ２によって複数の角度で裏面側への変位が規制されて起立姿勢での傾きを調節し得るようになっている。
【００２１】
図９に示すように、頭部ヒンジＨ３は、左右方向に対向する一対の連結板３９,３９が、背部縦枠３２ａの後端部から裏面側へ延出するように設けられ、頭部縦枠３４ａの回動中心が、背部縦枠３２ａにおける表裏方向の中央ラインより裏面側に位置するように、両連結板３９,３９間で頭部縦枠３４ａを軸支する。すなわち、背部フレーム３２から裏面側に突出するよう形成された頭部ヒンジＨ３に支持された頭部フレーム３４は、背部フレーム３２よりも裏面側へオフセットされている。頭部フレーム３４は、頭部ヒンジＨ３によって背部フレーム３２よりも裏面側に延在するように支持される。ここで、頭部ヒンジＨ３は、背部フレーム３２を倒伏させた姿勢において、連結板３９の下端部(裏面側の端部)が支持フレーム３０の下面に揃うように設定される(図９(ｂ)参照)。頭部フレーム３４は、背部フレーム３２の延長線に沿って延在させた姿勢から表面側にまたは裏面側に向けて回動可能に構成され、頭部ヒンジＨ３によって複数の角度で裏面側への変位が規制されて背部フレーム３２に対する傾きを調節し得るようになっている。また、頭部フレーム３４は、倒伏させた姿勢にある背部フレーム３２に対して回動することができる。倒伏させた姿勢にある背部フレーム３２を支持フレーム３０よりも上側に延在させた状態で、頭部フレーム３４は、その一部または全部の高さ位置が支持フレーム３０と合うように構成される。
【００２２】
図９に示すように、小腿ヒンジＨ４は、左右方向に対向する一対の連結板３９,３９が、大腿縦枠３６ａの前端部から表面側へ延出するように設けられ、小腿縦枠３８ａの回動中心が、大腿縦枠３６ａにおける表裏方向の中央ラインより表面側に位置するように、両連結板３９,３９間で小腿縦枠３８ａを軸支する。小腿フレーム３８は、小腿ヒンジＨ４によって大腿フレーム３６よりも表面側に延在するように支持される。小腿フレーム３８は、大腿フレーム３６の延長線に沿って延在させた姿勢から裏面側に向けて回動可能に構成され、小腿ヒンジＨ４によって複数の角度で裏面側への変位が規制されて大腿フレーム３６に対する傾きを調節し得るようになっている。また、小腿フレーム３８は、倒伏させた姿勢にある大腿フレーム３６に対して回動することで、大腿フレーム３６を支持フレーム３０よりも上側に延在させた状態で、その一部を支持フレーム３０と高さ位置を合わせることが可能に構成される(図９(ｂ)参照)。
【００２３】
前記クッションＣ１〜Ｃ４は、硬さなどの物性が異なる複数の弾性体を組み合わせて構成される。弾性体としては、ポリウレタンフォーム、ポリエチレン等のポリオレフィン系フォーム、ゴムスポンジ等の発泡体を用いることができ、この中でも、作り易さや取り扱い性等の観点からポリウレタンフォームが最適である。また、発泡体は、柔軟性および復元性(塑性変形しない)を有する軟質フォームであって、気泡が連通する連泡構造であるのが望ましい。すなわち、クッションＣ１〜Ｃ４は、荷重が付与された際に圧縮変形や曲げ変形などが生じ、かつ荷重が解除されると元の形状に弾性復帰するようになっている。
【００２４】
図４および図５に示すように、クッションは、フレームＦの表面側に配設された主クッションＣ１と、主クッションＣ１の表面側に配設された表クッションＣ２と、フレームＦの裏面側に配設された裏クッションＣ３とから基本的に構成され、表裏方向に複数のクッションＣ１〜Ｃ３が重なっている。主クッションＣ１は、座部フレーム２８、背部フレーム３２、大腿フレーム３６および小腿フレーム３８の表面側に重なるように配設され、左右の縦枠２８ａ,３２ａ,３６ａ,３８ａ間の幅よりも幅広に形成される。ここで、主クッションＣ１は、その後端部が背部フレーム３２の背部縦枠３２ａの一部に接合されると共に、その前端部が小腿フレーム３８の小腿縦枠３８ａの一部に接合される。このように、実施例の主クッションＣ１は、頭部フレーム３４の表面側を覆わず、また座部フレーム２８および大腿フレーム３６に接合されていない。
【００２５】
図６に示すように、表クッションＣ２および裏クッションＣ３は、主クッションＣ１の左右幅よりも幅広に形成され、対向する主クッションＣ１に接合されると共に、主クッションＣ１よりも延出する部位同士が互いに接合される。ここで、裏クッションＣ３は、座部フレーム２８の後方に延出する支持フレーム３０の後縁で折り返して後方延出部位の裏面側および表面側を覆い、座部フレーム２８と背部フレーム３２との連結部位で折れ曲がって背部フレーム３２の裏面に沿って延在するように配設される(図４および図５参照)。座部１２、背もたれ部１４、大腿支持部２０および小腿支持部２２には、主クッションＣ１と、この主クッションＣ１の表裏を挟む表裏のクッションＣ２,Ｃ３とからなる３層の弾性体が配設される。また、実施例では、主クッションＣ１よりも薄い補助クッションＣ４が頭部フレーム３４の表面側に配設され、頭支持部１６には、表クッションＣ２、裏クッションＣ３および補助クッションＣ４からなる３層の弾性体が配設される。ここで、表裏のクッションＣ２,Ｃ３および補助クッションＣ４は、主クッションＣ１の主要部分よりも柔軟な弾性体が用いられる。なお、実施例では、表裏のクッションＣ２,Ｃ３および補助クッションＣ４としては、スラブ発泡品を裁断して得られたウレタンフォームであって、物性が同じものが用いられる。
【００２６】
図４および図５に示すように、主クッションＣ１は、座部１２に配設される座部受体４０と、背もたれ部１４に配設される背部受体４２と、大腿支持部２０に配設される大腿受体４４と、小腿支持部２２に配設される小腿受体４６とを有し、隣り合う受体４０,４２,４４,４６間が連結体４８によって接続される。連結体４８は、頭部ヒンジＨ３を除くヒンジＨ１,Ｈ２,Ｈ４の表面側に配置され、受体４０,４２,４４,４６よりも柔軟な弾性体が用いられている。実施例の連結体４８としては、表裏のクッションＣ２,Ｃ３および補助クッションＣ４と同じ物性を有するウレタンフォームが採用される。これに対して、受体４０,４２,４４,４６は、比較的高い反発弾性を有するように硬めに構成される。実施例の背部受体４２、大腿受体４４および小腿受体４６は、チップ状に破砕したウレタンフォームを接着剤や熱成形等によって接合して板状に形成した再生ウレタンが用いられる。また、背部受体４２には、板状の本体部分の表面に、使用者の腰位置に合わせて腰支持部４２ａが設けられる。図１に示すように、腰支持部４２ａは、左右両側が突出して表面側に開放する略「Ｕ」字形状に形成され、背部受体４２において座部１２側に偏倚して設けられる。また、大腿受体４４および小腿受体４６は、表面が平坦に形成された板状に形成される。
【００２７】
図５に示すように、座部受体４０は、基材５０と、この基材５０の表面側に重ね合わせて配設された支持材５２とから構成され、全体として表面側が平らな板状体になっている。座部受体４０において、基材５０としては背部受体４２などと同様に再生ウレタンが用いられ、基材５０に、表面側に開放する凹状に形成された設置凹部５０ａに支持材５２を嵌め込んで接合してある。ここで、実施例の座部１２には、座部受体４０の下側で裏クッションＣ３の上側に位置して、座部フレーム２８および支持フレーム３０の両縦枠２８ａ,３０ａ間に補助受体４１が配設される。補助受体４１は、基材５０と同様に再生ウレタンからなる板状体であって、座部フレーム２８および支持フレーム３０の表裏方向の厚み寸法と略同じ厚さに設定される。
【００２８】
図５に示すように、支持材５２は、板状のベース部５４の裏面に裏面側へ突出形成された複数の支持体５６を備え、座部１２にかかる荷重を弾力的に支持するよう構成される。支持材５２には、基本的に同じ形状および大きさで形成された複数の支持体５６が、前後および左右方向に並べて配置されている。また、支持材５２は、隣り合う支持体５６,５６の間を繋いで該支持体５６よりも低く形成されたリブ５８を備えている(図７参照)。支持材５２は、ベース部５４、支持体５６およびリブ５８などの全体がモールド成形によって同時に形成されて、ベース部５４、支持体５６およびリブ５８が継ぎ目なく同一のポリウレタンフォームなどの発泡体から一体的に形成される。また、支持材５２には、モールド成形に際して成形型の成形面に規定される面(支持体５６が突出する側の外面)に、気泡が破泡または圧縮されて空隙が少なく見掛け密度が高い層である所謂スキン層が形成されている。
【００２９】
図７に示すように、支持体５６は、突端が平らな面状に形成された凸状部分であり、この突出端面が円形に形成されている。支持体５６は、ベース部５４に連なる根元側に設けられた支持基部６０と、この支持基部６０の突出端面側に連ねて設けられた支持胴部６２と、この支持胴部６２から突出端面にかけて設けられた支持端部６４とを備えている。支持体５６は、略裁頭円錐形状の支持基部６０の突出端面側に、略円柱形状の支持胴部６２が連なると共に、支持胴部６２の突出端面側に略裁頭円錐形状の支持端部６４が連なり、突出端側が根元側と比べて細くなっている。そして、支持材５２において、前後または左右方向に隣り合う支持体５６,５６は、支持基部６０の一部が互いに繋がるように配置される一方、斜め方向に隣り合う支持体５６,５６は、互いに繋がらないように間をあけて配置される。支持基部６０は、水平方向に破断した支持断面が、根元側から突出端面側に向かうにつれて小さくなるように形成され、根元側と比べて突出端面側が細くなる形状になっている。支持胴部６２は、水平方向に破断した支持断面が表裏方向において略一定になるよう形成される。支持端部６４は、水平方向に破断した支持断面が、根元側から突出端面側に向かうにつれて小さくなるように形成され、根元側と比べて突出端面側が細くなる形状になっている。支持材５２には、隣り合う４つの支持体５６およびこれらの支持体５６を繋ぐリブ５８に囲まれた凹部に臨んで、ベース部５４を表裏方向に貫通する通孔６６が形成される。このように、支持材５２は、ベース部５４の表裏に連通する通孔６６を有しているので、表面にスキン層を有していても、通孔６６により通気性を確保することができる。
【００３０】
前記カバー７０は、布(実施例)や皮やその他の可撓性を有するシート状物を縫合または接着等により接合することで構成された袋状体であって、クッションＣ１〜Ｃ４の外側を覆って座椅子１０の外面を構成している。カバー７０は、座部１２の転倒規制部２６の骨格をなす支持フレーム３０の後方延出部位および該後方延出部位を覆う裏クッションＣ３に合わせて形成され、座部１２から背もたれ部１４および頭支持部１６に対応する部分と転倒規制部２６に対応する部分とに分岐している(図４参照)。カバー７０には、小腿支持部２２の裏面に略「コ」字状に延在する切れ目７２が設けられ(図１０)、この切れ目７２がファスナー等の開閉具７４により開閉可能に構成される。カバー７０は、開閉具７４で切れ目７２を開放することで、フレームＦおよびクッションＣ１〜Ｃ４に対して着脱可能に構成されると共に、図１０に示すように、例えば小腿支持部２２に対応する部分のみを裏返して、脚枕２４の内面側を表に向けることができる。
【００３１】
前記脚枕２４は、小腿支持部２２の表面側に設けられ、小腿支持部２２よりも柔軟に形成される。脚枕２４は、チップウレタンやビーズなどの軟質発泡体からなる小片を、布等からなる柔軟な袋状体内に流動可能に封入した脚部クッション７６を主体とし、この脚部クッション７６をカバー７０と小腿受体４８との間に配設して構成される。脚枕２４は、カバー７０を表面側に押し上げるように小腿受体４８の表面側に配設された脚部クッション７６によって、左右方向に頂部が延在すると共に前後方向に裾が広がる略山形状に膨出形成される。すなわち、図３に示すように、脚枕２４は、小腿支持部２２および大腿支持部２０を床面に沿って倒伏した姿勢において、大腿支持部２０の表面よりも表面側(上方)に大きく膨らんでいる。脚枕２４は、荷重をある程度支持しつつ沈み込むように比較的高反発弾性に設定された座部１２等の他の部位と比べて、体圧分散性を優先して柔軟でかつ低反発弾性になるように構成される。ここで、カバー７０における小腿支持部２２の表面側に対応する部位には、裏張り部７８が内面側に設けられ、小腿支持部２２の表面側はカバー７０と裏張り部７８との二重構造になっている。そして、カバー７０および裏張り部７８の間に形成された収納部８０に、脚部クッション７６を収納して位置決め可能になっている。なお、カバー７０は、小腿支持部２２の表面側部位が脚枕２４に合わせて縫製等により形成される。また、裏張り部７８には、ファスナー等の留め具８１によって開閉可能な開口部７８ａが設けられ、この開口部７８ａを介して脚部クッション７６を収納部８０に挿入したり、収納部８０から出したりすることが可能になっている。そして、座椅子１０は、図１０に示すように、切れ目７２で開いたカバー７０を小腿受体４８から外して裏返すことで、裏張り部７８の開口部７８ａを表に向けることができ、この状態で開口部７８ａを介して脚部クッション７６を収納部８０に挿脱することができる。
【００３２】
前記頭枕１８は、頭支持部１６の表面側に設けられ、座部１２や背もたれ部１４などよりも柔軟に形成される。頭枕１８は、チップウレタンやビーズなどの軟質発泡体からなる小片を、布等からなる柔軟な袋状体内に流動可能に封入して構成される。頭枕１８は、布等の可撓性を有するシート材からなる取付片１９を有し(図１１参照)。取付片１９の端部に設けた面ファスナー等の取付部１９ａを、頭支持部１６の裏面に設けられた面ファスナー等の取付受部８２に対して取り付ける。そして、頭枕１８は、取付片１９を、頭支持部１６の端縁を介して表面側に回り込ませることで、表面側で保持される。頭枕１８は、取付片１９を取付受部８２から外すことで取り外すことができると共に、取付受部８２に取り付けたまま頭支持部１６の裏面側に退避させることもできる。
【００３３】
〔実施例の作用〕
次に、実施例に係る座椅子１０の作用について説明する。座椅子１０は、座部フレーム２８と、該座部フレーム２８および背部フレーム３２を連結する背部ヒンジＨ１との下側に支持フレーム３０が延在しているので、座部１２の下側を構成する裏クッションＣ３やカバー７０などに対して、座部フレーム２８の後端縁または背部フレーム３２の前端縁や背部ヒンジＨ１からの荷重の付加を防止することができる。すなわち、座椅子１０は、荷重を座部フレーム２８を介して最終的に支持フレーム３０で受ける構成であるから、角張っているフレーム２８,３２の端縁や背部ヒンジＨ１が裏クッションＣ３等に強く干渉することを回避し得る。特に座椅子１０は、大腿支持部２０を起立させると共に小腿支持部２２を折り曲げた脚載せ姿勢で使用した際に、座部１２の後端部に荷重が集中するが、支持フレーム３０が背もたれ部１４よりも後側に延出して転倒規制部２６の骨格を構成しているので、荷重を適切に受け止めることができる。このように、前記座椅子１０によれば、座部フレーム２８または背部フレーム３２や背部ヒンジＨ１の負荷に起因する裏クッションＣ３やカバー７０の破損や床面の傷付けなどの不具合の発生を防止することができる。更に、転倒規制部２６の骨格をなす支持フレーム３０が、座部フレーム２８および該座部フレーム２８に背部ヒンジＨ１を介して支持された背部フレーム３２の下側に延在しているので、背部フレーム３２が支持フレーム３０に邪魔されず、背もたれ部１４をフラットに近い状態まで倒伏できる。
【００３４】
前記座椅子１０は、座部フレーム２８と、該座部フレーム２８および大腿フレーム３６を連結する大腿ヒンジＨ２との下側に支持フレーム３０が延在しているので、座部１２の下側を構成する裏クッションＣ３やカバー７０などに対して、座部フレーム２８の前端縁または大腿フレーム３６の後端縁や大腿ヒンジＨ２からの荷重の付加を防止することができる。すなわち、座椅子１０は、座部フレーム２８または大腿フレーム３６や大腿ヒンジＨ２の負荷に起因する裏クッションＣ３やカバー７０の破損や床面の傷付けなどの不具合の発生を防止することができる。
【００３５】
前記座椅子１０は、背もたれ部１４を倒伏した際に、背もたれ部１４と床面との間に、座部１２の転倒規制部２６を収容するために隙間が生じるが、倒伏姿勢の背もたれ部１４を、座部１２と背部フレーム３２から裏面側に突出する頭部ヒンジＨ３との２箇所で支持させることで、背もたれ部１４と床面との間に隙間があっても座椅子１０の転倒を防止することができる。また、背もたれ部１４を座部１２の後側に倒伏した際に、背もたれ部１４に連設された頭支持部１６を床面に当接させることもできる。座椅子１０は、大腿支持部２０を座部１２の前側に倒伏した際に、大腿支持部２０に連設された小腿支持部２２を床面に当接させるように角度調節できる。座部フレーム２８が支持フレーム３０の上側に配設されている都合上、座部フレーム２８に設けられた大腿ヒンジＨ２を介して連結される大腿フレーム３６に支持された大腿支持部２０は、倒伏姿勢で床面から隙間があくことがある。しかし、座椅子１０によれば、倒伏した姿勢にある大腿支持部２０を、座部１２と小腿支持部２２の２箇所で支持し得るから、大腿支持部２０と床面との間に隙間があっても座椅子１０の転倒を防止することができる。
【００３６】
前記座部１２に配設された支持材５２は荷重を受けた際に、支持断面が比較的小さく形成された支持端部６４から潰れるので、座部１２に荷重をかけた初期段階で支持材５２の圧縮に要する荷重を小さくすることができる。すなわち、座部１２に荷重をかけた初期段階で、支持材５２の反発力を小さくし得るので、簡単に沈み込む柔らかいクッション感をだすことができる。支持材５２は、荷重を更に受けると、支持端部６４の次に支持断面が小さい支持胴部６２が潰れるから、初期段階から中期段階になっても圧縮に要する荷重の急激な上昇を抑えることができると共に、適切な荷重の支持感を出すことができる。しかも、支持胴部６２は、支持断面が変化しないので、圧縮に要する荷重の変化がほぼ一定比率になり、座部１２に荷重を加えた分だけ沈み込む好適なクッション感を出すことができる。そして、支持材５２は、大きく荷重を受けた際に、支持断面が比較的大きく形成された支持基部６０で支持するので、底付きを防止できる。このような支持材５２が配設された座部１２によれば、初期段階では柔らかく、中期段階では荷重に対して比例的に適度に圧縮し、圧縮が進行しても底づきしない、コイルスプリングのようなほどよいクッション感を得ることができる。しかも、支持材５２は、発泡体から構成されているので、コイルスプリングよりも軽量で、コイルスプリングよりもへたり難い。なお、荷重と支持材５２の圧縮との関係は、段階に応じて圧縮し易い部位を主に説明するものであり、支持材５２全体において複合的に圧縮が生じている。
【００３７】
前記座椅子１０は、座部１２等と比べて低反発弾性に設定された脚枕２４を小腿支持部２２に備えているので、小腿支持部２２に載せた使用者のふくらはぎを脚枕２４によって柔らかく受け止めることができる。脚枕２４は、チップウレタン等の小片を流動可能に封入して構成されているので、ふくらはぎに合わせて滑らかに形状が変わるので、体圧分散性に優れている。特に座椅子１０は、大腿支持部２０を起立させると共に小腿支持部２２を折り曲げた脚載せ姿勢で使用した際に、体圧分散性に優れた脚枕２４でふくらぎを受け止めることで、ふくらはぎを上げることによるリラックス効果を向上し得ると共に、ふくらはぎを上げることによる使用者の負担を軽減し得る。脚枕２４を構成する脚部クッション７６が収納部８０に対して挿脱可能であるから、例えば、異なる硬さの脚部クッション７６を配設するなど、使用者の好みに合わせて使用態様の幅を広げることができる。
【００３８】
前記座椅子１０は、座部１２等と比べて低反発弾性に設定された頭枕１８を頭支持部１６に備えているので、使用者の頭部を頭枕１８によって柔らかく受け止めることができる。頭枕１８は、頭支持部１６に対して着脱可能に構成されているので、必要に応じて取り付けたりまたは取り外すことで、使用者の好みに合わせて使用態様の幅を広げることができる。
【００３９】
(変更例)
前述した構成に限定されず、以下のように変更することも可能である。
(１)背もたれ部、頭支持部、大腿支持部および小腿支持部は、段階的に角度調節できる構成ではなく、任意の位置で止めることができる無段階調節であってもよい。
(２)クッションは、実施例の構成に限定されず、スラブ発泡のウレタンフォームで全体を構成したり、全体を再生ウレタンで構成するなど、適宜変更可能である。
【符号の説明】
【００４０】
１２ 座部，１４ 背もたれ部，１６ 頭支持部，２０ 大腿支持部，２２ 小腿支持部，
２６ 転倒規制部，２８ 座部フレーム，３２ 背部フレーム，３０ 支持フレーム，
３４ 頭部フレーム，３６ 大腿フレーム，３８ 小腿フレーム，Ｈ１ 背部ヒンジ，
Ｈ２ 大腿ヒンジ，Ｈ３ 頭部ヒンジ，Ｈ４ 小腿ヒンジ
【図１】
2014124246.tif 000003
【図２】
2014124246.tif 000004
【図３】
2014124246.tif 000005
【図４】
2014124246.tif 000006
【図５】
2014124246.tif 000007
【図６】
2014124246.tif 000008
【図７】
2014124246.tif 000009
【図８】
2014124246.tif 000010
【図９】
2014124246.tif 000011
【図１０】
2014124246.tif 000012
【図１１】
2014124246.tif 000013